(57)【要約】【課題】  スイングに影響を及ぼす影響要因を取得して、その影響要因により生じやすいスイングの傾向を是正するアドバイスを的確に提供することができるユーザー支援方法及び装置を提供すること。【解決手段】  ユーザー支援装置３０は、ユーザーのスイングに影響を及ぼすユーザーに起因する内的要因データＣ、及びユーザーに起因しない外的要因データＢの少なくとも一方を含む影響要因を取得するデータ取得部３１０と、影響要因に起因するスイングの傾向に関するデータが登録され、取得された影響要因に基づき傾向が検索される傾向テーブル３４４と、傾向に関するデータに応じたアドバイスが登録され、検索された傾向に基づいて、ユーザーを支援するアドバイスが読み出されるアドバイス生成テーブル３４５と、を有する。【選択図】      図１１
2017169809.tif 000002
【特許請求の範囲】
【請求項１】
ユーザーのスイングに影響を及ぼす前記ユーザーに起因する内的要因、及び前記ユーザーに起因しない外的要因の少なくとも一方を含む影響要因を取得するステップと、
前記影響要因に起因するスイングの傾向に関するデータが登録されている傾向テーブルを参照するステップと、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
を含むことを特徴とするユーザー支援方法。
【請求項２】
請求項１において、
前記参照するステップは、
前記ユーザーの固有のデータが登録されているユーザー登録テーブルを参照するステップを含み、
前記読み出すステップは、
前記アドバイス生成テーブルにおいて前記傾向と同一の傾向に対して登録されている複数のアドバイスの中から、前記固有のデータに対応する一つを選択する工程を含むことを特徴とするユーザー支援方法。
【請求項３】
請求項１または２において、
前記内的要因は、
前記ユーザー及びスイングされる運動器具の少なくとも一方に装着されている第１のセンサーの出力に基づいて取得される前記ユーザーのスイング能力、
及び前記ユーザーに装着されている第２のセンサーの出力に基づいて取得される前記ユーザーの精神状態、
の少なくとも一方を含むことを特徴とするユーザー支援方法。
【請求項４】
請求項３において、
前記第１のセンサー及び前記第２のセンサーの少なくとも一方の出力に基づいて、前記内的要因が取得されることを特徴とするユーザー支援方法。
【請求項５】
請求項１乃至４のいずれか一項において、
前記外的要因は、地理的情報及び気象情報の少なくとも一方を含むことを特徴とするユーザー支援方法。
【請求項６】
請求項１乃至５のいずれか一項において、
前記外的要因は、前記ユーザーの操作により取得されることを特徴とするユーザー支援方法。
【請求項７】
請求項１乃至６のいずれか一項において、
前記内的要因及び前記外的要因の少なくとも一方は複数の項目を含み、
前記複数の項目は、前記影響要因について優先順位が定められ、
前記優先順位の高い項目について前記影響要因を取得することを特徴とするユーザー支援方法。
【請求項８】
請求項１乃至７のいずれか一項において、
前記アドバイスと共に、前記アドバイスの根拠となるデータを出力することを特徴とするユーザー支援方法。
【請求項９】
ユーザーのスイングに影響を及ぼす前記ユーザーに起因する内的要因、及び前記ユーザーに起因しない外的要因の少なくとも一方を含む影響要因を取得するステップと、
前記影響要因に起因するスイングの傾向に関するデータが登録されている傾向テーブルを参照するステップと、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
をコンピューターに実行させることを特徴とするユーザー支援プログラム。
【請求項１０】
ユーザーのスイングに影響を及ぼす前記ユーザーに起因する内的要因、及び前記ユーザーに起因しない外的要因の少なくとも一方を含む影響要因を取得する手順と、
前記影響要因に起因するスイングの傾向に関するデータが登録されている傾向テーブルを参照する手順と、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
をコンピューターに実行させるユーザー支援プログラムを記録していることを特徴とする記憶媒体。
【請求項１１】
ユーザーのスイングに影響を及ぼす前記ユーザーに起因する内的要因、及び前記ユーザーに起因しない外的要因の少なくとも一方を含む影響要因を取得する取得部と、
前記影響要因に起因するスイングの傾向に関するデータが登録され、取得された前記影響要因に基づき前記傾向が検索される傾向テーブルと、
前記傾向に関するデータに応じたアドバイスが登録され、検索された前記傾向に基づいて、前記ユーザーを支援するアドバイスが読み出されるアドバイス生成テーブルと、
を有することを特徴とするユーザー支援装置。
【請求項１２】
ユーザーのスイングに影響を及ぼす前記ユーザーに起因する内的要因、及び前記ユーザーに起因しない外的要因の少なくとも一方を含む影響要因を取得し、
前記影響要因に起因するスイングの傾向に関するデータが登録されている傾向テーブルを参照し、
前記傾向に関するデータに応じたアドバイスが登録されているアドバイス生成テーブルから、前記取得された前記影響要因に起因する前記傾向に基づいて、前記ユーザーを支援するアドバイスを読み出す、
ことを特徴とするユーザー支援装置。
【請求項１３】
請求項１１または１２に記載のユーザー支援装置と、
センサーユニットと、
を含むことを特徴とするユーザー支援システム。
【発明の詳細な説明】
【技術分野】
【０００１】
本発明は、スイングするユーザーを支援するユーザー支援方法、ユーザー支援プログラム、記憶媒体、ユーザー支援装置及びユーザー支援システム、等に関する。
【背景技術】
【０００２】
スポーツにおいて、プレーヤー（ユーザー）に対し適切にアドバイスを行うプレーヤー支援技術がある。例えば、特許文献１には、ゴルフのスイングの腕と頭との動きから、改善すべきポイント（頭がふらつく、球筋をみる視線の移動がスムースではないなど）を画像と音声で知らせるゴルフ改善支援装置が提案されている。特許文献２には、あらかじめ用意された運動モデルを用いて計算を行って好適な動き（理想の動き）を解析し、解析結果に基づいて運動の指導用情報を生成する装置が提案されている。
【０００３】
特許文献３では、プレーヤーがプレーする場所をふまえて各プレーヤーに合わせたアドバイスを行うことができる装置が提案されている。
【先行技術文献】
【特許文献】
【０００４】
【特許文献１】特開２００９−１２５５０７号公報
【特許文献２】特開２０１３−０２７６２９号公報
【特許文献３】特開２０１５−２０１０８１号公報
【発明の概要】
【発明が解決しようとする課題】
【０００５】
しかしながら、特許文献１は測定軌跡と基準軌跡との差を視覚的に認識させるものであり、特許文献２はユーザーの動きに対応する人体モデルの動きを好適な動きと比較するものであるので、特許文献１，２の技術は、同じスイングを繰り返す素振りなどの練習には適するかもしれないが、実際のプレーでは同じスイングを繰り返すことが少ないので、実際のプレーにおけるアドバイスには不向きであり、十分なアドバイスを行うことができないという問題がった。一方、特許文献３では単にプレーする場所の情報を元にアドバイスを行うだけにとどまり、そのプレーヤー自身の動きを元にした分析を行っていないので、プレーヤーに十分なアドバイスを行うことができないという問題があった。
【０００６】
本発明の幾つかの態様は、スイングに影響を及ぼす影響要因を取得して、その影響要因により生じやすいスイングの傾向を是正するアドバイスを的確に提供することができるユーザー支援方法、ユーザー支援プログラム、その記憶媒体、ユーザー支援装置及びユーザー支援システムを提供することを目的とする。
【課題を解決するための手段】
【０００７】
（１）本発明の一態様は、
ユーザーのスイングに影響を及ぼす前記ユーザーに起因する内的要因、及び前記ユーザーに起因しない外的要因の少なくとも一方を含む影響要因を取得するステップと、
前記影響要因に起因するスイングの傾向に関するデータが登録されている傾向テーブルを参照するステップと、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
を含むユーザー支援方法に関する。
【０００８】
本発明の一態様によれば、ユーザーのスイングに影響する内的要因及び外的要因の少なくとも一方を含む影響要因を取得し、取得された影響要因に起因するスイングの傾向を傾向テーブルを参照して求め、その傾向を修正するアドバイスをアドバイス生成テーブルから読み出すことができる。
こうして、スイングに影響を与える気象情報（天気、風向き、風力など）や地理的情報（標高、傾斜など）、等の外的要因や、スイングのフォーム、姿勢、強弱やユーザーの動き、体調、等の内的要因の影響により生じやすいスイングの欠点を解消する等のアドバイスを、タイムリーに提供することができる。
【０００９】
（２）本発明の一態様では、前記参照するステップは、前記ユーザーの固有のデータが登録されているユーザー登録テーブルを参照するステップを含み、前記読み出すステップは、前記アドバイス生成テーブルにおいて前記傾向と同一の傾向に対して登録されている複数のアドバイスの中から、前記固有のデータに対応する一つを選択する工程を含むことができる。
それにより、ユーザーのレベル、体格、年齢等に応じたアドバイスを提供することができる。
【００１０】
（３）本発明の一態様では、前記内的要因は、前記ユーザー及びスイングされる運動器具の少なくとも一方に装着されている第１のセンサーの出力に基づいて取得される前記ユーザーのスイング能力、及び前記ユーザーに装着されている第２のセンサーの出力に基づいて取得される前記ユーザーの精神状態、の少なくとも一方を含むことができる。
こうして、内的要因のうちスイング能力に関するフォーム、姿勢、軌道、強弱等は第１のセンサーの出力に基づいて取得される一方で、ユーザーの精神状態を反映する心拍数やグリップ力等は第２のセンサーの出力に基づいて取得することができる。
【００１１】
（４）本発明の一態様では、前記第１のセンサー及び前記第２のセンサーの少なくとも一方の出力に基づいて、前記内的要因が取得されてもよい。
第１のセンサーからのスイング能力に関する情報または第２のセンサーからのユーザーの精神状態を反映する情報が、内的要因として重要であり、いずれか一方はユーザーが操作により入力しても良い。
【００１２】
（５）本発明の一態様では、前記外的要因は、地理的情報及び気象情報の少なくとも一方を含むことができる。
地理的情報または気象情報は、スイングに影響を与える大きな外的要因であるからである。
【００１３】
（６）本発明の一態様では、前記外的要因は、前記ユーザーの操作により取得されてもよい。
地理的情報または気象情報のうち計測可能な情報は計測器から直接取り込むことができるが、計測可能／不可能な情報も含め操作入力するものであっても良い。
【００１４】
（７）本発明の一態様では、前記内的要因及び前記外的要因の少なくとも一方は複数の項目を含み、前記複数の項目は、前記影響要因について優先順位が定められ、前記優先順位の高い項目について前記影響要因を取得することができる。
優先順位が高い順に、影響要因と相関のある傾向が傾向テーブルにあるか否かを確認することで、複数の影響要因の中から例えばスイングへの影響が大きい影響要因を選択して、的確なアドバイスを生成することができる。
この優先順位は、アドバイスが提供される場所に応じて設定でき、場所が異なれば優先順位が異なるように設定することができる。
【００１５】
（８）本発明の一態様では、前記アドバイスと共に、前記アドバイスの根拠となるデータを出力することができる。これにより、アドバイスの信頼性を高めることができる。
【００１６】
（９）本発明の他の態様は、
ユーザーのスイングに影響を及ぼす前記ユーザーに起因する内的要因、及び前記ユーザーに起因しない外的要因の少なくとも一方を含む影響要因を取得するステップと、
前記影響要因に起因するスイングの傾向に関するデータが登録されている傾向テーブルを参照するステップと、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
をコンピューターに実行させるユーザー支援プログラムに関する。
本発明の他の態様に係るユーザー支援プログラムは、本発明の一態様に係るユーザー支援方法が実施されるユーザー支援装置の記憶装置に内蔵させるか、あるいはサーバーまたは記録媒体からユーザー支援装置の記憶装置にインストールすることができる。
こうして、このプログラムは本発明の一態様に係るユーザー支援方法を司ることができる。
【００１７】
（１０）本発明のさらに他の態様は、
ユーザーのスイングに影響を及ぼす前記ユーザーに起因する内的要因、及び前記ユーザーに起因しない外的要因の少なくとも一方を含む影響要因を取得する手順と、
前記影響要因に起因するスイングの傾向に関するデータが登録されている傾向テーブルを参照する手順と、
前記傾向に関するデータに応じたアドバイスが登録されているアドバイス生成テーブルから、前記取得された前記影響要因に起因する前記傾向に基づいて、前記ユーザーを支援するアドバイスを読み出すステップと、
をコンピューターに実行させるユーザー支援プログラムを記録している記憶媒体に関する。
本発明のさらに他の態様に係る記録媒体は、本発明の一態様に係るユーザー支援方法が実施されるユーザー支援装置の記憶装置として用いるか、あるいはこの記録媒体からユーザー支援装置の記憶装置にインストールして用いることができる。
【００１８】
（１１）本発明のさらに他の態様は、
ユーザーのスイングに影響を及ぼす前記ユーザーに起因する内的要因、及び前記ユーザーに起因しない外的要因の少なくとも一方を含む影響要因を取得する取得部と、
前記影響要因に起因するスイングの傾向に関するデータが登録され、取得された前記影響要因に基づき前記傾向が検索される傾向テーブルと、
前記傾向に関するデータに応じたアドバイスが登録され、検索された前記傾向に基づいて、前記ユーザーを支援するアドバイスが読み出されるアドバイス生成テーブルと、
を有するユーザー支援装置に関する。
【００１９】
（１２）本発明のさらに他の態様は、
ユーザーのスイングに影響を及ぼす前記ユーザーに起因する内的要因、及び前記ユーザーに起因しない外的要因の少なくとも一方を含む影響要因を取得し、
前記影響要因に起因するスイングの傾向に関するデータが登録されている傾向テーブルを参照し、
前記傾向に関するデータに応じたアドバイスが登録されているアドバイス生成テーブルから、前記取得された前記影響要因に起因する前記傾向に基づいて、前記ユーザーを支援するアドバイスを読み出す、
ユーザー支援装置に関する。
本発明のさらに他の態様に係るユーザー支援装置は、本発明の一態様に係るユーザー支援方法を好適に実施することができる。
【００２０】
（１３）本発明のさらに他の態様は、上述した（１１）または（１２）に記載のユーザー支援装置と、センサーユニットと、を含むユーザー支援システムを定義している。
【図面の簡単な説明】
【００２１】
【図１】本実施形態のユーザー支援システムの構成例を示す図である。
【図２】センサーユニット、ユーザー端末装置及びホスト装置を示す図である。
【図３】センサーユニットの装着位置及び向きの一例を示す図である。
【図４】ユーザーが打球するまでに行う動作の手順を示す図である。
【図５】ユーザー固有データ（身体情報及びゴルフクラブ情報等）の入力画面の一例を示す図である。
【図６】スイング動作についての説明図である。
【図７】ユーザー支援のためのアドバイス画面の一例を示す図である。
【図８】センサーユニット及びユーザー端末装置の構成例を示す図である。
【図９】スイング解析画面の一例を示す図である。
【図１０】スイング診断画面の一例を示す図である。
【図１１】ホスト装置の構成例を示す図である。
【図１２】ユーザー支援のために取得されるデータの例を示す図である。
【図１３】図１１に示すユーザー登録テーブルに登録されるデータＡの一例を示す図である。
【図１４】図１３中のレベルを設定するために参照されるレベル設定テーブルの一例を示す図である。
【図１５】スイングに影響を及ぼす外的要因であるデータＢの一例を示す図である。
【図１６】スイングに影響を及ぼす内的要因であるデータＣの一例を示す図である。
【図１７】傾向テーブルの一例を示す図である。
【図１８】アドバイス生成テーブルの一例を示す図である。
【図１９】アドバイス生成テーブルからアドバイスを読み出す手順を示す図である。
【図２０】ユーザー支援（アドバイス）のタイミングを示す図である。
【図２１】ユーザー支援（アドバイス）のフローチャートである。
【図２２】スイング地点に応じた具体的アドバイスを示す図である。
【発明を実施するための形態】
【００２２】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２３】
１．ユーザー支援システム
以下、運動解析の一例として、ゴルフスイングの解析を例に挙げて説明する。図１は、本実施形態のユーザー支援システムの構成例を示す図である。図１に示すように、本実施形態のユーザー支援システム１は、センサーユニット（慣性センサーの一例）１０及びユーザー端末装置２０を含む。センサーユニット１０とユーザー端末装置２０との間の通信は、無線通信でもよいし、有線通信でもよい。ユーザー端末装置２０は、パーソナルコンピューターの他、スマートフォンやタブレット等の携帯機器、あるいはヘッドマウントディスプレイ（ＨＭＤ：Head Mounted Display）やリスト機器、等のウェアラブル端末、等の各種情報端末で実現される。
【００２４】
ユーザー支援システム１は、ユーザー端末装置２０とは別にホスト装置３０を含んで構成されても良い。ホスト装置３０は、ユーザー端末装置２０からの要求を処理するサーバーで実現されてもよい。ユーザー端末装置２０とホスト装置３０とは、ネットワーク４０を介して接続されても良い。ネットワーク４０は、インターネット等のワイドエリアネットワーク（ＷＡＮ：Wide Area Network）でもよいし、ローカルエリアネットワーク（ＬＡＮ：Local Area Network）でもよい。あるいは、ユーザー端末装置２０とホスト装置３０とは、例えば、近距離無線通信や有線通信により、ネットワーク４０を介さずに通信してもよい。
【００２５】
ゴルフスイングを実行するユーザー（プレイヤー）を支援するユーザー支援装置は、ユーザー端末装置２０又はホスト装置３０若しくはユーザー端末装置２０及びホスト装置３０で構成することができる。本実施形態では、例えば記憶容量の大きいサーバーであるホスト装置３０をユーザー支援装置として使用するものとする。ユーザー端末装置２０は、ユーザー支援に必要な操作入力装置、センサーユニット１０等からのデータ入力装置及び表示装置として用いられ、加えてユーザー支援に必要なスイング解析装置として用いることもできる。
【００２６】
センサーユニット１０は、図２に示すように、３軸の各軸方向の加速度と、３軸の各軸回りの角速度とを計測可能であり、例えばゴルフクラブ３に装着される。
【００２７】
センサーユニット１０は、例えば図３に示すように、互いに交差する（理想的には直交する）３つの検出軸（ｘ軸，ｙ軸，ｚ軸）の向きが合わせられてゴルフクラブ３に装着される。図３では、例えばｙ軸をゴルフクラブ３のシャフト３ａの長手方向（ゴルフクラブ３の長手方向）に、例えばｘ軸を打球のターゲット方向（打撃目標方向）に合わせるようにして、シャフト３ａの一部に取り付けられる。好ましくは、センサーユニット１０は、打球時の衝撃が伝わりにくく、スイング時に遠心力がかかりにくいグリップに近い位置に取り付けられる。シャフト３ａは、ゴルフクラブ３のヘッド（打撃部）３ｂを除いた柄の部分であり、グリップも含まれる。ただし、センサーユニット１０は、ユーザー２の部位（例えば、手やグローブなど）に取り付けられてもよいし、腕時計などのアクセサリーに取り付けられてもよい。
【００２８】
本実施形態では、ユーザー支援のためにユーザーのスイング解析を実施することができる。その場合、ユーザー２は、あらかじめ決められた手順に従って、ゴルフボール４を打球するスイング動作によるスイング動作を行う。図４は、本実施形態においてユーザー２が打球するまでに行う動作の手順を示す図である。図４に示すように、ユーザー２は、まず、ユーザー端末装置２０を介してユーザー２の身体情報とユーザー２が使用するゴルフクラブ３に関する情報（ゴルフクラブ情報）などの入力操作を行う（Ｓ１）。
【００２９】
図５は、ユーザー端末装置２０の表示部２５（図８参照）に表示されるユーザー固有情報（身体情報及びゴルフクラブ情報等）の入力画面の一例を示す図である。ユーザー２は、図４のステップＳ１において、図５に示す入力画面上で身長、性別、年齢、国などの身体情報を入力し、クラブ長（シャフト３ａの長さ）、番手などのゴルフクラブ情報を入力する。なお、身体情報に含まれる情報は、これに限られず、例えば、身体情報は、身長に代えて又は身長とともに腕の長さ及び脚の長さの少なくとも一方の情報を含んでもよい。同様に、ゴルフクラブ情報に含まれる情報は、これに限られず、例えば、ゴルフクラブ情報は、クラブ長と番手のいずれか一方の情報を含まなくてもよいし、他の情報を含んでもよい。
【００３０】
次に、ユーザー２は、ユーザー端末装置２０を介して計測開始操作（センサーユニット１０に計測を開始させるための操作）を行う（Ｓ２）。ユーザー２は、ユーザー端末装置２０からアドレス姿勢（スイング開始前の基本姿勢）をとるように指示する通知（例えば音声による通知）を受けた後（Ｓ３がＹ）、ゴルフクラブ３のシャフト３ａの長手方向がターゲットライン（打球の目標方向）に対して垂直となるようにアドレスの姿勢をとり、静止する（Ｓ４）。次に、ユーザー２は、ユーザー端末装置２０からスイングを許可する通知（例えば音声による通知）を受けた後（Ｓ５がＹ）、スイング動作を行い、ゴルフボール４を打球する（Ｓ６）。なお、本実施形態は必ずしも打球するものに限らず、素振りにも適用でき、打球に相当するタイミングを検出する機能を有していてもよい。
【００３１】
ユーザー２が図４のステップＳ２の計測開始操作を行うと、ユーザー端末装置２０はセンサーユニット１０に計測開始コマンドを送信し、センサーユニット１０は計測開始コマンドを受信して３軸加速度と３軸角速度の計測を開始する。センサーユニット１０は、所定周期（例えば１ｍｓ）で３軸加速度と３軸角速度を計測し、計測したデータを順次、ユーザー端末装置２０に送信する。
【００３２】
ユーザー端末装置２０は、図４のステップＳ５に示したスイング開始の許可をユーザー２に通知し、その後、センサーユニット１０の計測データに基づいて、ユーザー２がゴルフクラブ３を用いて打球したスイング動作（図４のステップＳ６）を解析する。
【００３３】
図６に示すように、ユーザー２が図４のステップＳ６で行うスイング動作は、アドレス姿勢（静止状態）からスイング（バックスイング）を開始した後、バックスイング中にゴルフクラブ３のシャフトが水平になるハーフウェイバック、バックスイングからダウンスイングに切り替わるトップ、ダウンスイング中にゴルフクラブ３のシャフトが水平になるハーフウェイダウンの各状態を経て、ゴルフボール４を打球するインパクト（打球）に至る動作を含んでいる。そして、ユーザー端末装置２０は、スイングが行われた時刻（日時）、ユーザー２の識別情報や性別、ゴルフクラブ３の種類、スイング動作の解析結果の情報を含むスイング解析データを生成し、ネットワーク４０（図１参照）を介して、ホスト装置３０に送信する。
【００３４】
ホスト装置３０は、ユーザー端末装置２０が送信したスイング解析データを、ネットワーク４０を介して受信して保存する。従って、ユーザー２が図４の手順に従ってスイング動作を行う度に、ユーザー端末装置２０により生成されたスイング解析データがホスト装置３０に保存され、図１１に示すスイング解析／診断データリスト３４１中にスイング解析データリストが構築される。
【００３５】
本実施形態では、ユーザー２は、ユーザー端末装置２０の操作部２３（図８参照）を介してユーザー支援プログラム３４２（図１１参照）を起動させると、ユーザー端末装置２０はホスト装置３０と通信し、ユーザー端末装置２０の表示部２５に、例えば、図７に示すようなユーザー支援のためのアドバイス画面が表示される。このアドバイス画面は、上述したようなユーザー固有のデータ、スイングに影響を及ぼす要因に起因するスイングの傾向に関するデータ（詳細は後述する）、およびスイングに影響を及ぼす影響要因（内的要因及び外的要因の少なくとも一方であって、その詳細は後述する）に基づいて、例えばホスト装置３０にあるアドバイス生成テーブル３４５（図１１参照）からユーザーを支援するアドバイスを読み出すことにより表示される。
【００３６】
２．センサーユニット及びユーザー端末装置の構成
図８は、センサーユニット１０及びユーザー端末装置２０の構成例を示す図である。なお、センサーユニット１０及びユーザー端末装置２０は、図８に示す構成要素の一部が削除又は変更され、あるいは、他の構成要素が付加された構成であってもよい。図８に示すように、本実施形態では、センサーユニット１０は、加速度センサー１２、角速度センサー１４、信号処理部１６及び通信部１８を含んで構成されている。
【００３７】
加速度センサー１２は、互いに交差する（理想的には直交する）３軸方向の各々に生じる加速度を計測し、計測した３軸加速度の大きさ及び向きに応じたデジタル信号（加速度データ）を出力する。
【００３８】
角速度センサー１４は、互いに交差する（理想的には直交する）３軸の各々の軸回りに生じる角速度を計測し、計測した３軸角速度の大きさ及び向きに応じたデジタル信号（角速度データ）を出力する。
【００３９】
信号処理部１６は、加速度センサー１２と角速度センサー１４から、それぞれ加速度データと角速度データを受け取って不図示の記憶部に記憶し、記憶した計測データ（加速度データと角速度データ）に時刻情報を付して通信用のフォーマットに合わせたパケットデータを生成し、通信部１８に出力する。
【００４０】
通信部１８は、信号処理部１６から受け取ったパケットデータをユーザー端末装置２０に送信する処理や、ユーザー端末装置２０から計測開始コマンド等の各種の制御コマンドを受信して信号処理部１６に送る処理等を行う。信号処理部１６は、制御コマンドに応じた各種処理を行う。
【００４１】
図８に示すように、本実施形態では、ユーザー端末装置２０は、処理部２１、通信部２２、操作部２３、記憶部２４、表示部２５、音出力部２６及び通信部２７を含んで構成されている。
【００４２】
通信部２２は、センサーユニット１０から送信されたパケットデータを受信し、処理部２１に送る処理や、処理部２１からの制御コマンドをセンサーユニット１０に送信する処理等を行う。
【００４３】
操作部２３は、ユーザー２の操作に応じたデータを取得し、処理部２１に送る処理を行う。操作部２３は、例えば、タッチパネル型ディスプレイ、ボタン、キー、マイクなどであってもよい。
【００４４】
記憶部２４は、例えば、ＲＯＭ（Read Only Memory）やフラッシュＲＯＭ、ＲＡＭ（Random Access Memory）等の各種ＩＣメモリーやハードディスクやメモリーカードなどの記録媒体等により構成される。記憶部２４は、処理部２１が各種の計算処理や制御処理を行うためのプログラムや、アプリケーション機能を実現するための各種プログラムやデータ等を記憶している。
【００４５】
本実施形態では、記憶部２４には、処理部２１によって読み出され、スイング解析処理を実行するためのスイング解析プログラム２４０が記憶されている。スイング解析プログラム２４０は、あらかじめ不揮発性の記録媒体（コンピューターに読み取り可能な記録媒体）に記憶されていてもよいし、処理部２１がネットワークを介してホスト装置３０からスイング解析プログラム２４０を受信して記憶部２４に記憶させてもよい。
【００４６】
また、本実施形態では、記憶部２４には、ゴルフクラブ情報２４２、身体情報２４４及びセンサー装着位置情報２４６及びスイング解析データ２４８が記憶される。上述の通り、ゴルフクラブ情報２４２及び身体情報２４４は、操作部２３を操作して図５の入力画面から入力することができ、センサー装着位置情報２４６も同様にして入力することができる。
【００４７】
スイング解析データ２４８は、スイングが行われた時刻（日時）、ユーザー２の識別情報や性別、ゴルフクラブ３の種類とともに、処理部２１（スイング解析部２１１）によるスイング動作の解析結果の情報を含むデータである。
【００４８】
また、記憶部２４は、処理部２１の作業領域として用いられ、操作部２３が取得したデータ、処理部２１が各種プログラムに従って実行した演算結果等を一時的に記憶する。さらに、記憶部２４は、処理部２１の処理により生成されたデータのうち、長期的な保存が必要なデータを記憶してもよい。
【００４９】
表示部２５は、処理部２１の処理結果を文字、グラフ、表、アニメーション、その他の画像として表示するものである。表示部２５は、例えば、ＣＲＴ、ＬＣＤ、タッチパネル型ディスプレイ、ＨＭＤなどであってもよい。なお、１つのタッチパネル型ディスプレイで操作部２３と表示部２５の機能を実現するようにしてもよい。
【００５０】
音出力部２６は、処理部２１の処理結果を音声やブザー音等の音として出力するものである。音出力部２６は、例えば、スピーカーやブザーなどであってもよい。
【００５１】
通信部２７は、ネットワーク４０を介してホスト装置３０の通信部３２（図１１参照）との間でデータ通信を行うものである。例えば、通信部２７は、スイング解析処理の終了後、処理部２１からスイング解析部２１１で生成したスイング解析データ２４８を受け取って、ホスト装置３０の通信部３２に送信する処理を行う。また、例えば、通信部２７は、図７の画面の表示に必要な情報をホスト装置３０の通信部３２から受信して処理部２１に送る処理を行う。
【００５２】
処理部２１は、各種プログラムに従い、通信部２２を介してセンサーユニット１０に制御コマンドを送信する処理や、通信部２２を介してセンサーユニット１０から受信したデータに対する各種の計算処理を行う。また、処理部２１は、各種プログラムに従い、記憶部２４からスイング解析データ２４８を読み出して、通信部２７を介してホスト装置３０に送信する処理を行う。また、処理部２１は、各種プログラムに従い、通信部２７を介して、ホスト装置３０に各種の情報を送信し、ホスト装置３０から受信した情報に基づいて各種の画面を表示する処理等を行う。また、処理部２１は、その他の各種の制御処理を行う。
【００５３】
データ取得部２１０は、通信部２２がセンサーユニット１０から受信したパケットデータを受け取り、受け取ったパケットデータから時刻情報及び計測データを取得し、記憶処理部２１３に送る処理を行う。また、データ取得部３１０（図１１参照）は、通信部２７がホスト装置３０から受信した各種の画面の表示に必要な情報を受け取って、画像データ生成部２１２に送る処理を行う。
【００５４】
記憶処理部２１３は、記憶部２４に対する各種プログラムや各種データのリード／ライト処理を行う。例えば、記憶処理部２１３は、データ取得部２１０から受け取った時刻情報と計測データを対応づけて記憶部２４に記憶させる処理や、スイング解析部２１１が算出した各種の情報やスイング解析データ２４８等を記憶部２４に記憶させる処理を行う。
【００５５】
スイング解析部２１１は、センサーユニット１０が出力する計測データ（センサーユニット１０の記憶部に記憶されている計測データ）や操作部２３からのデータなどを用いて、ユーザー２のスイング運動を解析し、スイングが行われた時刻（日時）、ユーザー２の識別情報や性別、ゴルフクラブ３の種類、スイング動作の解析結果の情報を含むスイング解析データ２４８を生成する処理を行う。特に、本実施形態では、スイング解析部２１１は、スイング動作の解析結果の情報の少なくとも一部として、スイングの各指標の値を算出する。
【００５６】
画像データ生成部２１２は、表示部２５に表示される画像に対応する画像データを生成する処理を行う。表示処理部２１４は、表示部２５に対して各種の画像（画像データ生成部２１２が生成した画像データに対応する画像の他、文字や記号等も含む）を表示させる処理を行う。例えば、表示処理部２１４は、画像データ生成部２１２が生成した画像データに基づき、表示部２５に、図７に示した画面等を表示させる。あるいは、画像データ生成部２１２は、スイング解析データ２４８に基づいて、図９に示すようなスイング解析データの画面が表示部２５に表示される。この画面には、ユーザー２のスイング解析データについて、時刻（日時）、使用されたゴルフクラブの種類及びスイングの解析結果としての一部の指標の値が含まれている。また、例えば、画像データ生成部２１２は、ホスト装置３０からのスイング診断データに基づいて、図１０に示すようなスイング診断画面が表示部２５を表示してもよい。
【００５７】
なお、図９及び図１０に示すスイング解析データ及びスイング診断データは、例えば本出願人による特願2016−6347に記載されている手法等を採用して取得することができる。本発明は図９及び図１０に示すスイング解析データ及びスイング診断データの一部を活用してユーザーを支援する発明であり、データ取得の詳細については省略する。
【００５８】
さらに、画像データ生成部２１２は、図４のステップＳ５において、ユーザー２にスイングの開始の許可を通知するための画像や文字等を表示部２５に表示させてもよい。また、例えば、表示処理部２１４は、ユーザー２のスイング動作が終了した後、自動的に、あるいは、ユーザー２の入力操作に応じて、スイング解析部２１１による解析結果を示す文字や記号等のテキスト情報を表示部２５に表示させてもよい。あるいは、センサーユニット１０に表示部を設けておいて、表示処理部２１４は、通信部２２を介してセンサーユニット１０に画像データを送信し、センサーユニット１０の表示部に各種の画像や文字等を表示させてもよい。
【００５９】
音出力処理部２１５は、音出力部２６に対して各種の音（音声やブザー音等も含む）を出力させる処理を行う。例えば、音出力処理部２１５は、図４のステップＳ５において、ユーザー２にスイングの開始の許可を通知するための音を音出力部２６から出力させてもよい。また、例えば、音出力処理部２１５は、ユーザー２のスイング動作が終了した後、自動的に、あるいは、ユーザー２の入力操作に応じて、スイング解析部２１１による解析結果を示す音や音声を音出力部２６から出力させてもよい。あるいは、センサーユニット１０に音出力部を設けておいて、音出力処理部２１５は、通信部２２を介してセンサーユニット１０に各種の音データや音声データを送信し、センサーユニット１０の音出力部に各種の音や音声を出力させてもよい。
【００６０】
３．ホスト装置の構成
図１１は、ホスト装置３０の構成例を示す図である。図１１に示すように、本実施形態では、ホスト装置３０は、処理部３１、通信部３２及び記憶部３４を含んで構成されている。ただし、ホスト装置３０は、適宜、これらの構成要素の一部が削除又は変更され、あるいは、他の構成要素が付加された構成であってもよい。
【００６１】
本実施形態では、処理部３１は、データ取得部３１０、スイング診断部３１１、アドバイス生成部３１２及び記憶処理部３１３を含むことができる。記憶部３４は、スイング診断プログラム３４０、スイング解析／診断データリスト３４１、ユーザー支援プログラム３４２、ユーザー登録テーブル３４３、傾向テーブル３４４及びアドバイス生成テーブル３４５を含むことができる。記憶処理部３１３は、記憶部２４に対する各種プログラムや各種データのリード／ライト処理を行う。
【００６２】
記憶部３４は、例えば、ＲＯＭやフラッシュＲＯＭ、ＲＡＭ等の各種ＩＣメモリーやハードディスクやメモリーカードなどの記録媒体等により構成される。記憶部３４は、処理部３１が各種の計算処理や制御処理を行うためのプログラムや、アプリケーション機能を実現するための各種プログラムやデータ等を記憶している。
【００６３】
スイング診断プログラム３４０は、処理部３１によって読み出され、処理部３１のスイング診断部３１１にてスイング診断処理を実行するためのプログラムである。スイング診断プログラム３４０は、あらかじめ不揮発性の記録媒体（コンピューターに読み取り可能な記録媒体）に記憶されていてもよいし、処理部３１がネットワーク４０を介して不図示のサーバーからスイング診断プログラム３４０を受信して記憶部３４に記憶させてもよい。
【００６４】
スイング解析／診断データリスト３４１は、ユーザー端末装置２０の処理部２１（スイング解析部２１１）が生成した複数のスイング解析データ２４８を含むスイング解析データリスト、およびスイング解析データ２４８等を用いて処理部３１（スイング診断部３１１）が生成したスイング診断データのリストが記憶されている。ユーザー端末装置２０の処理部２１がユーザー２のスイング動作を解析する毎に生成したスイング解析データ２４８と、処理部３１が生成したスイング診断データは、順次、スイング解析／診断データリスト３４１に追加される。
【００６５】
ユーザー支援プログラム３４２は、処理部３１によって読み出され、処理部３１のアドバイス生成部３１２にてユーザー向けのアドバイスを生成してユーザー支援を実行するためのプログラムである。処理部３１のアドバイス生成部３１２は、データ取得部３１０を介して取得されるデータに基づき、記憶部３４のユーザー登録テーブル３４３及び傾向テーブルを参照して、アドバイス生成テーブル３４５からアドバイスを読み出す。これら、ユーザー登録テーブル３４３、傾向テーブル３４４及びアドバイス生成テーブル３４５については、図１３から図１８を用いて後述する。
【００６６】
また、記憶部３４は、処理部３１の作業領域として用いられ、処理部３１が各種プログラムに従って実行した演算結果、等を一時的に記憶する。さらに、記憶部３４は、処理部３１の処理により生成されたデータのうち、長期的な保存が必要なデータを記憶してもよい。
【００６７】
通信部３２は、ネットワーク４０を介してユーザー端末装置２０の通信部２７（図８参照）との間でデータ通信を行うものである。例えば、通信部３２は、ユーザー端末装置２０の通信部２７からスイング解析部２１１で生成したスイング解析データ２４８等のデータを受け取って、処理部３１に送る処理を行う。また、例えば、通信部３２は、図７のユーザー支援のためのアドバイス画面または図１０のスイング診断画面の表示に必要な情報を処理部３１から受け取ってユーザー端末装置２０の通信部２７に送信する処理を行う。
【００６８】
３．１．ユーザー支援のために取得されるデータＡおよびユーザー登録テーブル
ユーザー支援のために取得されるデータの例を図１２に示す。図１２では、アドバイス分析に使用するデータを３種類に分類している。まず、性別や身長・体重・性格・利き腕など変化しにくいデータ、およびハンデ・スコア・過去の蓄積データなどベースとなるものを「データＡ」と定義する。
【００６９】
図１３は、図１１に示すユーザー登録テーブル３４３の一例を示している。ユーザー登録テーブル３４３は、あらかじめユーザーの入力によって登録されるデータＡで構成される。データＡは、ユーザー登録テーブル３４３として初めに、ユーザーが最初にユーザー端末装置２０の操作部２３により手動で入力することができる。例えば、「レベル」は、入力された平均スコアやハンデから、図１４に示すレベル設定テーブル（図１１に示す記憶部３４に配置される）を参照して「上級」「中級」「初級」などのレベルが設定され、データとして登録される。その他、性別・体重・性格・利き腕などが登録される。なお、例えば平均スコア等は、過去の蓄積データから算出して求めても良い。
【００７０】
３．２．ユーザー支援のために取得されるデータＢおよびデータＣ
図１２では、その時々で変化するデータを「データＢ」および「データＣ」と定義する。データＢは、図１５に示すように、天気・風向き・風速などの気象情報、標高・コース情報・芝目・傾斜などの地理的情報であり、つまりスイングに影響する外的要因である。データＢは、ウエブ上またはゴルフ場から提供される天気やコース情報（ゴルフコースの地形）などから取得することができる。風速や標高などは数値で取得されるが、傾向テーブル３４４に登録されているデータに合わせて分類される。例えば「風速：０．５ｍ／ｓ」は、「風速：弱」と分類される。
【００７１】
また、データＣは、図１２に示すように、フォーム・姿勢・スイング・飛距離・飛んだ方向、等のスイング能力に関するデータ、あるいは心拍数、等のユーザーの精神状態を反映するデータ、つまりスイングに影響する内的要因である。データＣは、具体的には図１６に例示するように、センサーユニット１０等によって計測された値に基づいて解析／診断された値（Ｖゾーン、インパクト、ナチュラルコック、テンポなど）や、ユーザーに装着される圧力センサーで計測されるグリップ力や、脈拍センサーで計測される心拍数などである。データＢおよびデータＣの少なくとも一方が取得されると、データＢまたはデータＣとデータＡとから、後述するようにしてアドバイスが作成される。
【００７２】
３．３．傾向テーブル
図１１に示す傾向テーブル３４４は、図１７に示すように、過去にプレーした際の環境（天候・風速・風向き・コース情報、等のデータＢ）またはセンサーによって計測された情報（データＣ）と、計測情報から解析又は診断されるプレー結果の傾向（癖）がデータとして登録されている。図１７に示す「項目」および「分類」の欄は、上述したデータＢまたはデータＣと対応付けられている。データＢ，Ｃは実際には数値で提供されるが、傾向テーブル３４４では図１７に示す「分類」の欄に予め設定された区分に従って例えば２〜３種類に分類される。
【００７３】
実際にアドバイスが求められた場合であって、データＢ，Ｃが取得されたら、取得されたデータＢ，Ｃに基づいて傾向テーブル３４４を参照することで、次のプレーに生じやすい傾向（癖）を予想することができる。このように、傾向テーブル３４４は、アドバイスを提供する際に、データＢ，Ｃが取得される毎に参照されるものである。
【００７４】
３．４．アドバイス生成テーブル
図１１に示すアドバイス生成テーブル３４５のデータは、図１８に示すように、傾向テーブル３４４の「傾向（癖）」（図１７）をキーとして、そのキーに対応する「アドバイス」が登録されている。データＢ，Ｃが取得されたら、取得されたデータＢ，Ｃに基づいて傾向テーブル３４４を参照してキーとなる「傾向（癖）」を取得し、そのキーと対応するアドバイスをアドバイス生成テーブル３４５から読み出すことができる。さらに、これらのアドバイスは、ユーザー登録テーブル３４３で設定されている上級・中級・初級のレベル（図１３）によりアドバイス内容を異ならせて登録することができる。この場合、アドバイス生成テーブル３４５中にて同一のスイングの傾向に対して登録された複数（例えば３つのアドバイス１，２，３）の中から、ユーザー登録テーブル３４３に登録されたユーザーの固有のデータ（例えばレベル）に対応する一つを選択することができる。
【００７５】
４．ユーザー支援動作
４．１．アドバイス生成方法
図１９にアドバイス生成方法の一例を示す。ここでは、外的要因データＢの「天気」の情報を例とする。まず、コース情報からこの地点でアドバイス分析に重要であると考えられる項目を、外的要因データＢから抽出する。重要項目の１つが「天気」の場合、取得された外的要因データＢから天気「雨」というデータを抽出する。天気「雨」をキーとして傾向テーブル３４４の「項目：分類」で天気「雨」を検索する。そして天気「雨」に対応する「傾向（癖）」のデータを取得する。この場合、傾向は「スライス」となる。図１９の例では、アドバイス生成テーブル３４５の傾向「スライス」について、３つのレベルに応じて異なるアドバイスが登録されている。そこで、ユーザー登録テーブル３４３を参照し、ユーザーについて登録されているレベル「中級」をキーとして、アドバイス生成テーブル３４５からアドバイス「短めに持ってゆっくりとコンパクトに振りましょう」が読み出される。
【００７６】
内的要因データＣが取得される場合にも、上述した外的要因データＢの例と同様にしてアドバイスが読み出される。例えば、重要項目の１つが「回転」の場合を例に挙げて説明する。「回転」とは、トップ時のシャフト軸回転角を意味する。図３に示すようにセンサーユニット１０のｙ軸がゴルフクラブ３のシャフトの長手方向にほぼ一致している。従って、例えば、図８のスイング解析部２１１は、スイング開始の時刻（バックスイング開始時）又はアドレス時からトップの時刻まで、角速度データに含まれるｙ軸角速度を時間積分することで、シャフト軸回転角を計算することができる。図１９の傾向テーブル３４４に示すように、「回転」の分類が「最大回転角が５０度より大きい」に相当する内的要因データＣが取得されると、傾向は「インパクト時の球筋が安定しない」となる。この傾向をキーとしてアドバイス生成テーブルからアドバイスを読み出すことで、アドバイスとして「テイクバックは小さく、コンパクトにスイングしましょう」を表示することができる。
【００７７】
外的要因データＢ及び内的要因データＣの双方が取得される場合は、優先順位に従って外的要因データＢまたは内的要因データＣの一方がキーとして用いられる。ここでキーとするデータが傾向テーブル３４４にない場合は、アドバイス分析に必要な要素ではない、と判断され、他のデータがキーとして用いられる。つまり、キーとして複数項目が候補となる場合には、優先順位に従って項目が選択される。このように内的要因及び外的要因の少なくとも一方が複数の項目を含む場合、複数の項目は影響要因について優先順位が定められ、優先順位の高い項目について影響要因を取得することになる。なお、優先順位は、アドバイスが求められる地点（場所、領域、ゾーン）毎に設定することができる。特にゴルフのように打順によって地点が異なると、優先される影響要因が異なることがあるからである。
【００７８】
４．２．ユーザー支援（アドバイス）の手順
次に、図２０の上段（システム）を参照して、ユーザー支援動作（アドバイス動作）の時刻を定義する。ユーザー端末装置２０の操作部２３には、アドバイススイッチ機能とアドバイスボタン機能とが設けられる。まず、アドバイススイッチをＯＮにし、その時刻ｔ０を図２０に示す。プレー中にアドバイスが必要になった場合、アドバイスボタンをＯＮにする（時刻ｔ１１）。すると、例えば図７に示すアドバイスがユーザー端末装置２０の表示部２５に表示される（時刻ｔ１２）。表示されたアドバイスを見て実際にプレーする（時刻ｔ１３）。この一連の流れを時刻ｔ１と定義する。このように、アドバイスが必要となる時点を時刻ｔ１（ｔ１１→ｔ１２→ｔ１３）、時刻ｔ２（ｔ２１→ｔ２２→ｔ２３）、…時刻ｔｎ（ｔｎ１→ｔｎ２→ｔｎ３）とし、スイッチをＯＦＦした場合（時刻ｔｘ）に終了する。
【００７９】
次に、図２０の下段（テーブルおよびデータ）と図２１のフローチャートとを参照して、データの取得と各テーブルの参照について説明する。図２０の時刻ｔ０でアドバイススイッチをＯＮにし（ステップ１）、その後データＡがユーザー登録テーブル３４３から取得され（ステップ２）、ｎ＝０に設定される（ステップ３）。図２０の時刻ｔ１１でアドバイスボタンがＯＮされると（ステップ４がＹＥＳ）、ｎ＝ｎ＋１に設定され（ステップ５）、外的要因データＢ１が取得される（ステップ６）。その後、取得された外的要因データＢ１を用いて傾向テーブル３４４を参照し、「傾向」が抽出される（ステップ７）。このときｎ＝１であるので（ステップ８がＹＥＳ）、図２０の時刻ｔ１２で、検索された「傾向」とデータＡとに基づいてアドバイス生成テーブル３４５からアドバイスが読み出される（ステップ９）。
【００８０】
その後、図２０の時刻ｔ１３で実際にプレーが行うことで（ステップ１１がＹＥＳ）、内的要因データＣが計測され（ステップ１２）、プレー終了でない限り（ステップ１２がＮＯ）、ステップ４に戻って上記動作が繰り返され、プレー終了であれば（ステップ１２がＹＥＳ）、アドバイススイッチがＯＦＦされる（ステップ１３）ことで終了する。
【００８１】
プレー続行の場合、図２０の時刻ｔ２１でアドバイスボタンがＯＮされると（ステップ４がＹＥＳ）、ｎ＝ｎ＋１に設定され（ステップ５）、外的要因データＢ２が取得される（ステップ６）。その後、取得された外的要因データＢ２を用いて傾向テーブル３４４を参照し、「傾向」が抽出される（ステップ７）。このときｎ＞１であるので（ステップ８がＮＯ）、取得された内的要因データＣ１を用いて傾向テーブル３４４を参照し、「傾向」が抽出される（ステップ１０）。図２０の時刻ｔ２２で、データＡ、外的要因データＢ２および内的要因データＣ１を用いて、アドバイス生成テーブル３４５からアドバイスが読み出される（ステップ９）。
【００８２】
一般に、ｔｎのｎがｎ＞１の場合（図２１のステップ８がＮＯ）には、データＡ、外的要因データＢｎおよび内的要因データＣｎ−１を用いて、アドバイス生成テーブル３４５からアドバイスが読み出されることになる。このようにさまざまなデータを用いて精度の高いアドバイスを提供することが可能となる。
【００８３】
４．３．アドバイスの具体例
図２２に、実際にさまざまなデータを用いてアドバイスを行う例を示す。図２２は、ゴルフコースの第１ホールでのプレーについて、アドバイスの処理を時系列順に表示している。まずコース情報として、第１ホールのコースは池まで２３０ヤード、池からピンまで１６０ヤード、グリーンの手前からピンまでの距離が１０ヤードとする。
【００８４】
第１ホールの１打目ティーショットを打つ前にアドバイスボタンをＯＮしたとする（ｔ０）。その場合、この地点でのアドバイス分析に対して重要なデータは、優先順位に従い「平均飛距離」「天気」「風速」「コース情報」と判断され、図１９で示した手順に従ってアドバイスが表示される。この時、上級者に対してのアドバイスは、ある程度の情報を提示してもらえれば自分で判断できるため、例えば池までの距離情報のみを表示する。中級者に対しては、クラブの選定に関するアドバイスを追加する。初級者で例えばドライバーでの飛距離が２００ｍだとすると、「ドライバーで打っても大丈夫です」というメッセージのみ表示する（ｔ１）。
【００８５】
次に２打目の場合、アドバイス分析に対する重要なデータは優先順位に従い「過去の計測結果」、「コース情報」「１打目のプレー計測結果」と判断される。コース情報など外的要因データＢ１を元にこのような地形の場合の過去の計測結果をデータＡから、１打目のプレーによる今日の調子（姿勢・フォーム・スイングなど）などを内的要因データＣ１から取得し、アドバイスが表示される。２打目の場合、上級者に対しては、ピンまでの距離だけでなく、グリーン上でのピンの位置の情報などを提示する。一方初心者に対しては、地面の傾斜でつま先が上に向いている場合、右利きの人はボールが左に飛び易いため、例えば図７に示すように「クラブは短く持ちましょう。テイクバックは小さくまっすぐひきましょう」と表示する。
【００８６】
最後に４打目として、グリーン上でのパットの場合、アドバイス分析に対する重要なデータは、優先順位に従い「過去の計測結果」「芝目」「心拍数」「グリップ力」などと判断される。ここでは、技量データだけでなく心理状態のデータも加味されることとなる。また、同じアドバイスを行っても性格によりとらえ方が違うことがあるため、「性格」も考慮する要素の一つとなる。ここでは、上級者に対しては芝目の情報のみ、中級者・初級者に対しては心構えである「カップの中心から１ｍ以内に入れましょう」などのアドバイスのみ表示する。「リラックスするために２，３回ジャンプしてみましょう」などという表示でもよい。図７に示す表示画面には、データＢで取得される外的要件（コース情報、風向・風速など）が一目でわかるような地図とアドバイスを併設して表示することができる。
【００８７】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。
【符号の説明】
【００８８】
１…ユーザー支援システム、２…ユーザー、３…ゴルフクラブ、４…ゴルフボール、１０…センサーユニット、１２…加速度センサー、１４…角速度センサー、２０…ユーザー端末装置、３０…ホスト装置、３１…処理部、３２…通信部、３４…記憶部、３１０…データ取得部、３１２…アドバイス生成部、３４２…ユーザー支援プログラム、３４３…ユーザー登録テーブル、３４４…傾向テーブル、３４５…アドバイス生成テーブル
【図１】
2017169809.tif 000003
【図２】
2017169809.tif 000004
【図３】
2017169809.tif 000005
【図４】
2017169809.tif 000006
【図５】
2017169809.tif 000007
【図６】
2017169809.tif 000008
【図７】
2017169809.tif 000009
【図８】
2017169809.tif 000010
【図９】
2017169809.tif 000011
【図１０】
2017169809.tif 000012
【図１１】
2017169809.tif 000013
【図１２】
2017169809.tif 000014
【図１３】
2017169809.tif 000015
【図１４】
2017169809.tif 000016
【図１５】
2017169809.tif 000017
【図１６】
2017169809.tif 000018
【図１７】
2017169809.tif 000019
【図１８】
2017169809.tif 000020
【図１９】
2017169809.tif 000021
【図２０】
2017169809.tif 000022
【図２１】
2017169809.tif 000023
【図２２】
2017169809.tif 000024